(57)【要約】【課題】ＯＤＭＡシステムにおけるトラフィック属性によって伝送電力を調節することで、電力使用の効率性を向上し得るＯＤＭＡシステムのデータ伝送方法を提供しようとする。【解決手段】基地局または移動通信端末機からデータを受信する過程と、受信データのトラフィック属性を感知する過程と、トラフィック属性によって次の経路を設定して、該当の端末にデータを伝送する過程と、を順次行ってＯＤＭＡシステムのデータを伝送する。各移動通信端末機間は探索メッセージが交換されることを特徴とし、探索メッセージは、送信端末のＩＤ、受信端末のＩＤ、送信電力、経路損失、及び該当の移動通信端末機の情報を有している近傍端末のデータリストを含んでいる。【選択図】　図１
2004140773.tif 000002
【特許請求の範囲】
【請求項１】
基地局または移動通信端末機からデータを受信する過程と、
該受信データのトラフィック属性を感知する過程と、
該トラフィック属性によって次の経路を設定して、該当の近傍端末に該データを伝送する過程と、
を順次行うことを特徴とするＯＤＭＡシステムのデータ伝送方法。
【請求項２】
前記各移動通信端末機間は探索メッセージが交換されることを特徴とする請求項１記載のＯＤＭＡシステムのデータ伝送方法。
【請求項３】
前記探索メッセージは、送信端末のＩＤ、受信端末のＩＤ、送信電力、経路損失、及び該当の移動通信端末機の情報を有している近傍端末のデータリストを含むことを特徴とする請求項２記載のＯＤＭＡシステムのデータ伝送方法。
【請求項４】
前記探索メッセージは、連結テーブルを形成する基準になることを特徴とする請求項２記載のＯＤＭＡシステムのデータ伝送方法。
【請求項５】
前記連結テーブルは、周期的にアップデートされて、この時の時間情報はタイムスタンプに格納されることを特徴とする請求項４記載のＯＤＭＡシステムのデータ伝送方法。
【請求項６】
前記トラフィック属性は、
遅延に敏感で実時間伝送が要求される実時間トラフィックと、
該実時間トラフィックに比べて遅延に鈍感である非実時間トラフィックと、
から構成されることを特徴とする請求項１記載のＯＤＭＡシステムのデータ伝送方法。
【請求項７】
前記データを伝送する過程は、
受信データが実時間トラフィックと判断されると、伝送電力の大きい近傍端末に該データを伝送する過程と、
該受信データが非実時間トラフィックと判断されると、伝送電力の小さい近傍端末に該データを伝送する過程と、
を順次行うことを特徴とする請求項１記載のＯＤＭＡシステムのデータ伝送方法。
【請求項８】
前記伝送電力は、大きい電力を有するほど遠く伝送されることを特徴とする請求項７記載のＯＤＭＡシステムのデータ伝送方法。
【請求項９】
前記データを伝送する過程は、
受信データが実時間トラフィックと判断されると、実時間専用端末機に該データを伝送する過程と、
該受信データが非実時間トラフィックと判断されると、非実時間専用端末機に該データを伝送する過程と、
を順次行うことを特徴とする請求項１記載のＯＤＭＡシステムのデータ伝送方法。
【請求項１０】
データが最終的に伝送される目的端末を設定する過程と、
各近傍端末に該データを伝送する過程と、
該データを受信した移動通信端末機が目的端末に該当しているかを確認する過程と、
目的端末でない場合、該受信されたデータのトラフィック属性を確認する過程と、
該受信されたデータが実時間トラフィックである場合、近傍端末のデータリストにおいて、伝送電力の大きい近傍端末にデータを伝送する過程と、
該受信されたデータが非実時間トラフィックである場合、近傍端末のデータリストにおいて、伝送電力の小さい近傍端末にデータを伝送する過程と、
を順次行うことを特徴とするＯＤＭＡシステムのデータ伝送方法。
【請求項１１】
前記各移動通信端末機間は、各移動通信端末機の情報を含む探索メッセージが交換されることを特徴とする請求項１０記載のＯＤＭＡシステムのデータ伝送方法。
【請求項１２】
前記探索メッセージは、近傍端末に対する情報を含む連結テーブルを形成する基準になることを特徴とする請求項１１記載のＯＤＭＡシステムのデータ伝送方法。
【請求項１３】
前記連結テーブルは、周期的にアップデートされることを特徴とする請求項１２記載のＯＤＭＡシステムのデータ伝送方法。
【請求項１４】
前記伝送電力は、データ伝送距離と比例することを特徴とする請求項１１記載のＯＤＭＡシステムのデータ伝送方法。
【請求項１５】
データが最終的に伝送される目的端末を設定する過程と、
近傍端末に該データを伝送する過程と、
該データを受信した移動通信端末機が目的端末に該当しているかを確認する過程と、
目的端末でない場合、該受信データのトラフィック属性を確認する過程と、
該受信データが実時間トラフィックである場合、近傍端末のデータリストにおいて、実時間専用端末機にデータを伝送する過程と、
該受信データが非実時間トラフィックである場合、近傍端末のデータリストにおいて、非実時間専用端末機にデータを伝送する過程と、
を順次行うことを特徴とするＯＤＭＡシステムのデータ伝送方法。
【請求項１６】
前記各移動通信端末機間は、各移動通信端末機の情報を含む探索メッセージが送受信されることを特徴とする請求項１５記載のＯＤＭＡシステムのデータ伝送方法。
【請求項１７】
前記探索メッセージは、近傍端末に対する情報を含む連結テーブルを形成する基準になることを特徴とする請求項１６記載のＯＤＭＡシステムのデータ伝送方法。
【請求項１８】
前記連結テーブルは、周期的にアップデートされることを特徴とする請求項１７記載のＯＤＭＡシステムのデータ伝送方法。
【請求項１９】
各移動通信端末機間に探索メッセージが交換される過程と、
該受信された探索メッセージを通して近傍端末のデータリストを含む連結テーブルを構成する過程と、
他の近傍端末に伝送すべきメッセージを受信する過程と、
該受信されたメッセージのトラフィック属性を判断する過程と、
該受信されたメッセージが実時間トラフィックである場合、近傍端末のデータリストにおいて、伝送電力の大きい近傍端末を検索する過程と、
該受信されたメッセージが非実時間トラフィックである場合、近傍端末のデータリストにおいて、伝送電力の小さい近傍端末を検索する過程と、
検索された近傍端末のデータリストにデータを伝送する過程と、
を順次行うことを特徴とするＯＤＭＡシステムのデータ伝送方法。
【請求項２０】
前記連結テーブルは、前記探索メッセージが交換される時毎にアップグレードされることを特徴とする請求項１９記載のＯＤＭＡシステムのデータ伝送方法。
【請求項２１】
各移動通信端末機間に探索メッセージが交換される過程と、
該受信された探索メッセージを通して近傍端末のデータリストを含む連結テーブルを構成する過程と、
他の近傍端末に伝送すべきメッセージを受信する過程と、
該受信されたメッセージのトラフィック属性を判断する過程と、
該受信されたメッセージが実時間トラフィックである場合、近傍端末のデータリストにおいて、実時間専用端末機を検索する過程と、
該受信されたメッセージが非実時間トラフィックである場合、近傍端末のデータリストにおいて、非実時間専用端末機を検索する過程と、
検索された近傍端末のデータリストにデータを伝送する過程と、
を順次行うことを特徴とするＯＤＭＡシステムのデータ伝送方法。
【請求項２２】
前記連結テーブルは、前記探索メッセージが交換される時毎にアップグレードされることを特徴とする請求項２１記載のＯＤＭＡシステムのデータ伝送方法。
【発明の詳細な説明】
【０００１】
【発明の属する技術分野】
本発明は、ＯＤＭＡ（Ｏｐｐｏｒｔｕｎｉｔｙ　Ｄｒｉｖｅｎ　Ｍｕｌｔｉｐｌｅ　Ａｃｃｅｓｓ）システムに係るもので、詳しくは、ＯＤＭＡシステムにおけるトラフィック属性によって伝送電力を制御するＯＤＭＡシステムのデータ伝送方法に関するものである。
【０００２】
【従来の技術】
最近、移動通信に対する関心及び需要が増加し、これを利用した各種の移動通信サービスが移動通信端末機を携帯した利用者に提供されている。特に、前記移動通信サービスは、音声通信サービスだけでなく、各種のデータ及び動映像情報のようなマルチメディアサービスを提供するようになり、これをサポートし得る通信技術及び移動通信端末機に対する研究が活発に進行中である。
【０００３】
一般に、セルラーシステムは、広いサービス地域を細胞状の小さなセル（ｃｅｌｌ）に分割し、各セル内には、そのセルを管轄する基地局が相互干渉／妨害を起こさないように設置される。この時、基地局は、電波の相互干渉が発生されない程度の距離を置いて配置され、各隣接セル間は同一の周波数が使用されないようにされる。
【０００４】
各基地局は、中央の制御局及び交換局に連結されているため、同一のセルだけでなく、他のセルにある移動通信端末機の接続制御情報を送受信することで、移動通信端末機がセルの境界を越える瞬間を探知し得るだけでなく、通話状態を監視することもできる。この時、移動通信端末機が他のセルに移動すると、自動的に現通話チャンネルを新しいセルに該当する周波数チャンネルに転換するハンドオーバー（ｈａｎｄ−ｏｖｅｒ）またはハンドオフ（ｈａｎｄ−ｏｆｆ）が遂行される。
【０００５】
一つの基地局を中心にするセルは、基地局からの距離によって、高速データ領域と低速データ領域に区分される。セル内の移動通信端末機が基地局から遠ざかって、セル境界地域に近づくほど経路損失が多く発生する。従って、移動通信端末機が基地局から所定距離以上に遠ざかると、前記経路損失によって高速データ伝送が難しくなり、通話品質が低下されるようになる。
【０００６】
図５は従来の移動通信システムを示した図で、セルラー環境でセル境界付近の移動通信端末機にデータサービスを提供する方法を示している。
【０００７】
Ａは、一般的なセルラー移動通信システムのデータ伝送を示したもので、基地局は目的端末機に直接データを伝送する。この時、セル境界地域にある移動通信端末機は基地局と遠く離れているため、データを伝送する時に伝送損失が多く発生し、データ伝送率が低下してエラーが増加するようになる。従って、基地局から遠く離れた移動通信端末機には、高速データサービスを提供するのが難しいため、低速データサービスのみを提供するようになるという問題点がある。
【０００８】
そして、移動通信端末機がデータを受信する時は、所定基準以上の受信電力を必要とするが、基地局から遠く離れた移動通信端末機にデータを伝送する場合は、前記所定基準以上の受信電力に合せるために強い送信電力を使用しなければならない。従って、基地局から遠く離れた移動通信端末機に対する強い伝送電力は、隣接基地局に干渉として作用し、隣接基地局に接続された移動通信端末機の通話品質に影響を及ぼすことになる。
【０００９】
即ち、無線環境は資源が制限されているため、可能な限り最小限の伝送電力を使用しなければならないが、高い伝送率及び低いエラー率を要求するマルチメディアサービスを提供し得る移動通信端末機がセル境界地域に移動すると、セル内の他のサービス使用者に対する干渉を増加させ、通話品質を悪化させるため、効率的な無線リンク資源を管理する技術が要求される。
【００１０】
このような一般的なセルラーシステムの問題点を解決するために、ＩＭＴ−２０００システムにおける高速のマルチメディアサービスを提供するための研究が多方面にわたって進行中であるが、その代表的な例がＯＤＭＡシステムである。
【００１１】
前記ＯＤＭＡシステムは、アドホック（ａｄ−ｈｏｃ）ネットワークの概念を移動通信システムに適用したもので、ＵＴＭＳ（Ｕｎｉｖｅｒｓａｌ　Ｍｏｂｉｌｅ　Ｔｅｌｅｃｏｍｍｕｎｉｃａｔｉｏｎｓ　Ｓｙｓｔｅｍ）の効率を増加させるために、いくつかのホップ（ｈｏｐ）を経てデータを伝送することで、高速データサービス領域を一層広く構築するシステムである。この時、前記ＯＤＭＡは、セル境界地域においても、高速のデータ通信が維持し得るように各移動通信端末機間に通信情報を中継するプロトコルである。
【００１２】
図５のＢは、従来のＯＤＭＡシステムにおけるデータ伝送方法を示した図で、図示されたように、基地局がセル境界地域にある移動通信端末機にデータを伝送する時、いくつかのホップ（ｈｏｐ）を経て伝送する。このようなＯＤＭＡシステムは、遠く離れた移動通信端末機に直接データを伝送する既存のセルラーシステムに比べて、小さな伝送電力で高速データサービス領域を拡大し得るため、電力消耗面で遥かに効率的である。
【００１３】
一般に、各移動通信端末機間に伝送されるマルチメディアデータは、実時間伝送が要求される音声及び画像通信と、実時間が要求されないファイル伝送のような多様な属性を有している。
【００１４】
【発明が解決しようとする課題】
然るに、従来ＯＤＭＡシステムにおいては、各移動通信端末機間に送受信されるデータのトラフィック属性とは関係なしに、画一的な伝送電力を使用することで、多様な属性のマルチメディアデータサービスを提供し難いという不都合な点があった。
【００１５】
本発明は、このような従来の課題に鑑みてなされたもので、ＯＤＭＡシステムにおけるトラフィック属性によって伝送電力を調節することで、電力使用の効率性を向上し得るＯＤＭＡシステムのデータ伝送方法を提供することを目的とする。
【００１６】
【課題を解決するための手段】
本発明のＯＤＭＡシステムのデータ伝送方法は、基地局または移動通信端末機からデータを受信する過程と、該受信データのトラフィック属性を感知する過程と、該トラフィック属性によって次の経路を設定して、該当の近傍端末に該データを伝送する過程と、を順次行うことを特徴とし、それにより上記目的が達成される。
【００１７】
前記各移動通信端末機間は探索メッセージが交換されることを特徴としてもよい。
【００１８】
前記探索メッセージは、送信端末のＩＤ、受信端末のＩＤ、送信電力、経路損失、及び該当の移動通信端末機の情報を有している近傍端末のデータリストを含むことを特徴としてもよい。
【００１９】
前記探索メッセージは、連結テーブルを形成する基準になることを特徴としてもよい。
【００２０】
前記連結テーブルは、周期的にアップデートされて、この時の時間情報はタイムスタンプに格納されることを特徴としてもよい。
【００２１】
前記トラフィック属性は、遅延に敏感で実時間伝送が要求される実時間トラフィックと、該実時間トラフィックに比べて遅延に鈍感である非実時間トラフィックと、から構成されることを特徴としてもよい。
【００２２】
前記データを伝送する過程は、受信データが実時間トラフィックと判断されると、伝送電力の大きい近傍端末にデータを伝送する過程と、受信データが非実時間トラフィックと判断されると、伝送電力の小さい近傍端末にデータを伝送する過程と、を順次行うことを特徴としてもよい。
【００２３】
前記伝送電力は、大きい電力を有するほど遠く伝送されることを特徴としてもよい。
【００２４】
前記データを伝送する過程は、受信データが前記実時間トラフィックと判断されると、実時間専用端末機にデータを伝送する過程と、受信データが前記非実時間トラフィックと判断されると、非実時間専用端末機にデータを伝送する過程と、を順次行うことを特徴としてもよい。
【００２５】
本発明のＯＤＭＡシステムのデータ伝送方法は、データが最終的に伝送される目的端末を設定する過程と、各近傍端末に該データを伝送する過程と、該データを受信した移動通信端末機が目的端末に該当しているかを確認する過程と、目的端末でない場合、該受信されたデータのトラフィック属性を確認する過程と、該受信されたデータが実時間トラフィックである場合、近傍端末のデータリストにおいて、伝送電力の大きい近傍端末にデータを伝送する過程と、該受信されたデータが非実時間トラフィックである場合、近傍端末のデータリストにおいて、伝送電力の小さい近傍端末にデータを伝送する過程と、を順次行うことを特徴とし、それにより上記目的が達成される。
【００２６】
前記各移動通信端末機間は、各移動通信端末機の情報を含む探索メッセージが交換されることを特徴としてもよい。
【００２７】
前記探索メッセージは、近傍端末に対する情報を含む連結テーブルを形成する基準になることを特徴としてもよい。
【００２８】
前記連結テーブルは、周期的にアップデートされることを特徴としてもよい。
【００２９】
前記伝送電力は、データ伝送距離と比例することを特徴としてもよい。
【００３０】
本発明のＯＤＭＡシステムのデータ伝送方法は、データが最終的に伝送される目的端末を設定する過程と、近傍端末に該データを伝送する過程と、該データを受信した移動通信端末機が目的端末に該当しているかを確認する過程と、目的端末でない場合、該受信データのトラフィック属性を確認する過程と、該受信データが実時間トラフィックである場合、近傍端末のデータリストにおいて、実時間専用端末機にデータを伝送する過程と、該受信データが非実時間トラフィックである場合、近傍端末のデータリストにおいて、非実時間専用端末機にデータを伝送する過程と、を順次行うことを特徴とし、それにより上記目的が達成される。
【００３１】
前記各移動通信端末機間は、各移動通信端末機の情報を含む探索メッセージが送受信されることを特徴としてもよい。
【００３２】
前記探索メッセージは、近傍端末に対する情報を含む連結テーブルを形成する基準になることを特徴としてもよい。
【００３３】
前記連結テーブルは、周期的にアップデートされることを特徴としてもよい。
【００３４】
本発明のＯＤＭＡシステムのデータ伝送方法は、各移動通信端末機間に探索メッセージが交換される過程と、該受信された探索メッセージを通して近傍端末のデータリストを含む連結テーブルを構成する過程と、他の近傍端末に伝送すべきメッセージを受信する過程と、該受信されたメッセージのトラフィック属性を判断する過程と、該受信されたメッセージが実時間トラフィックである場合、近傍端末のデータリストにおいて、伝送電力の大きい近傍端末を検索する過程と、該受信されたメッセージが非実時間トラフィックである場合、近傍端末のデータリストにおいて、伝送電力の小さい近傍端末を検索する過程と、検索された近傍端末のデータリストにデータを伝送する過程と、を順次行うことを特徴とし、それにより上記目的が達成される。
【００３５】
前記連結テーブルは、前記探索メッセージが交換される時毎にアップグレードされることを特徴としてもよい。
【００３６】
本発明のＯＤＭＡシステムのデータ伝送方法は、各移動通信端末機間に探索メッセージが交換される過程と、該受信された探索メッセージを通して近傍端末のデータリストを含む連結テーブルを構成する過程と、他の近傍端末に伝送すべきメッセージを受信する過程と、該受信されたメッセージのトラフィック属性を判断する過程と、該受信されたメッセージが実時間トラフィックである場合、近傍端末のデータリストにおいて、実時間専用端末機を検索する過程と、該受信されたメッセージが非実時間トラフィックである場合、近傍端末のデータリストにおいて、非実時間専用端末機を検索する過程と、検索された近傍端末のデータリストにデータを伝送する過程と、を順次行うことを特徴とし、それにより上記目的が達成される。
【００３７】
前記連結テーブルは、前記探索メッセージが交換される時毎にアップグレードされることを特徴としてもよい。
【００３８】
このような目的を達成するため、本発明に係るＯＤＭＡシステムのデータ伝送方法においては、基地局または移動通信端末機からデータを受信する過程と、受信データのトラフィック属性を感知する過程と、トラフィック属性によって次の経路を設定して該当の近傍端末にデータを伝送する過程と、を順次行うことを特徴とする。
【００３９】
且つ、データが最終的に伝送される目的端末を設定する過程と、各近傍端末にデータを伝送する過程と、データを受信した移動通信端末機が目的端末に該当しているかを確認する過程と、目的端末でない場合、受信されたデータのトラフィック属性を確認する過程と、実時間トラフィックである場合、近傍端末のデータリストにおいて、伝送電力の大きい近傍端末にデータを伝送する過程と、非実時間トラフィックである場合、近傍端末のデータリストにおいて、伝送電力の小さい近傍端末にデータを伝送する過程と、を順次行うことを特徴とする。
【００４０】
且つ、データが最終的に伝送された目的端末を設定する過程と、近傍端末にデータを伝送する過程と、データを受信した移動通信端末機が目的端末に該当しているかを確認する過程と、目的端末でない場合、受信データのトラフィック属性を確認する過程と、実時間トラフィックである場合、近傍端末のデータリストにおいて、実時間専用端末機にデータを伝送する過程と、非実時間トラフィックである場合、近傍端末のデータリストにおいて、非実時間専用端末機にデータを伝送する過程と、を順次行うことを特徴とする。
【００４１】
且つ、各移動通信端末機間に探索メッセージが交換される過程と、受信された探索メッセージを通して近傍端末のデータリストを含む連結テーブル（ｃｏｎｎｅｃｔｉｖｉｔｙ　ｔａｂｌｅ）を構成する過程と、他の近傍端末に伝送すべきメッセージを受信する過程と、受信されたメッセージのトラフィック属性を判断する過程と、実時間トラフィックである場合、近傍端末のデータリストにおいて、伝送電力の大きい近傍端末を検索する過程と、非実時間トラフィックである場合、近傍端末のデータリストにおいて、伝送電力の小さい近傍端末を検索する過程と、検索した近傍端末のデータリストにデータを伝送する過程と、を順次行うことを特徴とする。
【００４２】
且つ、各移動通信端末機間に探索メッセージが交換される過程と、受信された探索メッセージを通して近傍端末のデータリストを含む連結テーブルを構成する過程と、他の近傍端末に伝送すべきメッセージを受信する過程と、受信されたメッセージのトラフィック属性を判断する過程と、実時間トラフィックである場合、近傍端末のデータリストにおいて、実時間専用端末機を検索する過程と、非実時間トラフィックである場合、近傍端末のデータリストにおいて、非実時間専用端末機を検索する過程と、検索した近傍端末のデータリストにデータを伝送する過程と、を順次行うことを特徴とする。
【００４３】
【発明の実施の形態】
以下、本発明の実施の形態に対し、図面を用いて説明する。
【００４４】
本発明に係るＯＤＭＡシステムは、システムの伝送能力を向上させるためのＵＭＴＳシステムの一種であって、いくつかのホップ（ｈｏｐ）を経て目的端末機にデータを伝送するため、高速データ領域が拡大されて、低速データ領域にある移動通信端末機にも高速データサービスを提供することができる。この時、前記ホップは、データを送信する移動通信端末機の近傍端末（ｎｅｉｇｈｂｏｒ）に該当する。
【００４５】
図１は本発明に係るＯＤＭＡシステムを示した図で、セル境界地域に位置した移動通信端末機にデータを伝送する方法を示している。
【００４６】
図示されたように、ＯＤＭＡシステムは、セルの内部に不規則的に配置された複数の移動通信端末機１０１と、各移動通信端末機１０１の接続制御情報及び通話制御情報などを通して、移動通信端末機１０１を制御すると同時にデータを送受信する基地局１０２と、を含んで構成されている。
【００４７】
この時、前記移動通信端末機１０１は、実時間データ及び非実時間データをすべて送受信し得る兼用端末機と、実時間データのみを送受信し得る実時間専用端末機と、非実時間データのみを送受信し得る非実時間専用端末機と、に区分される。
【００４８】
前記基地局１０２から移動通信端末機１０１に伝送されるデータ中、実時間伝送が要求されるメッセージは、Ｃに示されたように、大きな伝送電力を使用して、遠く離れた近傍端末１０１を通して伝送することで、ルーティングの遅延を減らし、セル境界地域付近まで高速データ領域を拡張することができる。即ち、中継器の役割をする近傍端末１０１の数を減らすことで、各中継器から発生されるルーティングの遅延を減少させることができ、よって、実時間伝送が要求するトラフィック特性に合わせて素早くデータを伝送することができる。
【００４９】
然し、相対的に遅延に鈍感な非実時間伝送の場合、Ｄに示されたように、小さな伝送電力を使用して、いくつかの近傍端末１０１を経てデータを伝送することで高速データ領域を拡張することができる。この時、中継器の役割をする近傍端末１０１の数が増加すると共にルーティングの吸収も増加するが、伝送電力が小さく消耗される短距離を何度も伝送するため、全体的な伝送電力の消耗は増大する。
【００５０】
図２は、本発明に係るＯＤＭＡシステムのデータ伝送方法を示したフローチャートで、データが受信される最終目的端末１０１を指定する過程と、データを伝送する過程と、伝送されたデータを受信した移動通信端末機１０１がトラフィック属性を感知する過程と、トラフィック属性によってデータを近傍端末１０１に伝送する過程と、を順次行う。
【００５１】
前記データのトラフィックは、実時間特性または非実時間特性を表しているが、受信されたデータが実時間特性を有していると、伝送電力を大きくして遠く離れた近傍端末１０１にデータを伝送し、非実時間特性を有していると、伝送電力を小さくして近距離の近傍端末１０１にデータを伝送する。
【００５２】
この時、ＯＤＭＡシステムでデータを伝送するためには、各移動通信端末機１０１の通話が持続される間、中継器として使用され得る近傍端末１０１を探さなければならない。
【００５３】
このような近傍端末の探索は、セル内に存在する各移動通信端末機１０１が自体の情報が含まれた探索メッセージをＯＲＡＣＨ（ＯＤＭＡ　ランダムアクセスチャンネル）によって他の移動通信端末機１０１と交換する過程と、各移動通信端末機１０１が相互交換した探索メッセージによって連結テーブルを形成する過程とを順次行う。この時、前記連結テーブルは各移動通信端末機１０１間にデータを伝送する経路設定情報を含んでいる。
【００５４】
表１は、移動通信端末機間で交換される探索メッセージの第１実施形態を示したものである。
【００５５】
【表１】
2004140773.tif 000003
前記受信端末のＩＤ（Ｒｅｃｅｉｖｉｎｇ　ＩＤ）から探索メッセージが特定の移動通信端末機１０１に伝送される場合、該当の移動通信端末機のＩＤが含まれるはずで、不特定多数の移動通信端末機１０１に探索メッセージが伝送される場合、受信端末のＩＤ（Ｒｅｃｅｉｖｉｎｇ　ＩＤ）の値は０を含むようになる。
【００５６】
また、近傍端末のデータリストは、移動通信端末機１０１に対する経路設定情報を有している各近傍端末のデータリストを含んでいるが、前記近傍端末のデータリストには、近傍端末のＩＤと、近傍端末まで到達するのに必要な電力（Ｔｘ＿ｐｏｗｅｒ＿ｒｅｑｕｄ）と、近傍端末のタイプ（Ｎｅｉｇｈ＿ｆｌａｇ）などが含まれている。従って、近傍端末のデータリストを利用して、２ホップ離れた近傍端末の経路情報まで探すことができる。
【００５７】
表２は、移動通信端末機間に送受信される探索メッセージを利用して形成した連結テーブルの第１実施形態を示したものである。
【００５８】
【表２】
2004140773.tif 000004
前記連結テーブルは、近傍端末と関連されたデータを表に示したもので、前記データは、近傍端末に到達するのに要求される電力と、最も最近に近傍端末から受信した探索メッセージのタイムスタンプ（ｔｉｍｅｓｔａｍｐ）を含んでいる。そして、前記連結テーブルは、各移動通信端末機１０１間に交換される探索メッセージに基づいて作られるため、周期的にアップデートされ、その時の時間情報はタイムスタンプに記録される。
【００５９】
データを送信する移動通信端末機１０１が次の経路を設定する時、連結テーブルの送信電力及び目的移動通信端末機のＩＤなどを参考にして、近傍移動通信端末機１０１中何れの移動通信端末機１０１にデータを送るべきかを決定するようになる。
【００６０】
図３は、図２に示された本発明に係るＯＤＭＡシステムのデータ伝送方法の第１実施形態に対して詳しく示した図で、移動通信端末機１０１または基地局１０２は、データを伝送すべき最終目的端末を指定した後、不特定多数の各近傍端末にデータを伝送する（図示せず）。この時、前記各移動通信端末機１０１は実時間データ及び非実時間データの全てを送受信することができる。
【００６１】
前記移動通信端末機１０１または基地局１０２からデータを受信（Ｓ２１）した移動通信端末機１０１は、自体で前記データが最終的に伝送されるべき目的端末であるかを判断して（Ｓ２２）、前記データを受信した移動通信端末機１０１が目的端末であると判断されると、該当のデータ伝送過程は終了する。
【００６２】
一方、前記データを受信した移動通信端末機１０１が目的端末でないと判断された場合、移動通信端末機１０１に格納されている連結テーブルの近傍端末のデータリストに目的端末ＩＤがあるかを探索する（Ｓ２３）。前記連結テーブルを探索して、前記近傍端末のデータリストにおいて、目的端末ＩＤが存在しているかを確認した後（Ｓ２４）、目的端末ＩＤが存在すると、直ちに移動通信端末機１０１から該当の目的端末にデータを伝送する（Ｓ２５）。
【００６３】
前記近傍端末のデータリストにおいて、目的端末ＩＤが存在しない場合、他の近傍端末１０１を経てデータを目的端末に受信しなければならない。従って、移動通信端末機１０１は、受信データのＱｏＳ（Ｑｕａｌｉｔｙ　ｏｆ　Ｓｅｒｖｉｃｅ）クラス（ｃｌａｓｓ）を通してデータのトラフィック属性を把握し（Ｓ２６）、受信されたデータが実時間トラフィック属性を有しているかを判断する（Ｓ２７）。
【００６４】
この時、前記ＱｏＳクラスは、トラフィッククラスとも称されるが、トラフィックの遅延程度によって、カンバセーショナルクラス（ｃｏｎｖｅｒｓａｔｉｏｎａｌ　ｃｌａｓｓ）、ストリーミングクラス（ｓｔｒｅａｍｉｎｇ　ｃｌａｓｓ）、インタラクティブクラス（ｉｎｔｅｒａｃｔｉｖｅ　ｃｌａｓｓ）、及びバックグラウンドクラス（ｂａｃｋｇｒｏｕｎｄ　ｃｌａｓｓ）に区分される。前記カンバセーショナルクラス及びストリーミングクラスは実時間トラフィックであり、インタラクティブクラス及びバックグラウンドクラスは非実時間トラフィックに該当し、前記カンバセーショナルクラスはデータ遅延に最も敏感で、バックグラウンドクラスはデータ遅延に最も鈍感である。
【００６５】
前記カンバセーショナルクラスは、主に音声通話に該当するもので、最近はＩＰ（インターネットプロトコル）を利用した音声通信及び音声関連ツールのようなインターネット及びマルチメディアの応用分野でも要求される。また、前記カンバセーショナルクラスは使用者を実時間に関連されるため、低い遅延率及びエラー率が要求される。
【００６６】
前記ストリーミングクラスは、主に実時間ビデオ通信に該当するもので、ほとんどが使用者の端末機にデータを伝送する一方向通信で、音声通話に比べてより大きなデータ遅延率を有する。
【００６７】
前記インタラクティブクラスは、ウェブブラウジング（Ｗｅｂ　ｂｒｏｗｓｉｎｇ）のように、所定時間内に応答が要求される通信に該当し、前記バックグラウンドクラスは、電子メール、ＳＭＳ（ショートメッセージサービス）のように、所定時間内に応答が要求されない通信に該当する。
【００６８】
即ち、前記移動通信端末機１０１は、受信されたデータのＱｏＳクラスを把握して、該当のメッセージが音声通話及びビデオデータに関連されたカンバセーショナルクラスやストリーミングクラスである場合、実時間トラフィックとみなす。然し、該当のメッセージのトラフィックがウェブブラウジングや電子メール、ＳＭＳに関連されたインタラクティブクラスやバックグラウンドクラスと判断される場合、前記メッセージは非実時間トラフィックとみなす。
【００６９】
前記受信データのトラフィック属性が実時間トラフィックと判断される場合、移動通信端末機１０１に格納された連結テーブルの近傍端末のデータリストにおいて、送信電力の大きい移動通信端末機１０１にデータを伝送する（Ｓ２８）。前記実時間データは迅速な伝送時間及び低い遅延率を要求するため、少数の近傍端末１０１を経て伝送しなければならない。従って、送信電力の大きい移動通信端末機１０１は、データを一回の伝送で遠く離れた距離まで伝送することができるため、小さな送信電力でデータを伝送する場合より素早くデータを伝送することができる。
【００７０】
然し、伝送されたデータのトラフィック属性が非実時間トラフィックと判断される場合、移動通信端末機１０１に格納された近傍端末のデータリストにおいて、送信電力の小さい移動通信端末機１０１にデータを伝送する（Ｓ２９）。前記非実時間データは、実時間データに比べて遅延に鈍感であるため、データ伝送の最小限の安全性を保障する範囲内で、いくつかの伝送電力の小さい近傍端末１０１を経てデータを伝送する。
【００７１】
このように受信されたデータのトラフィック属性によって伝送電力の大きさを調節することで、各トラフィック属性に合わせてデータを伝送することができる。
【００７２】
図４は本発明に係るＯＤＭＡシステムのデータ伝送方法の第２実施形態を示した図で、移動通信端末機１０１または基地局１０２は、データを伝送すべき最終目的端末を指定した後、不特定多数の各近傍端末にデータを伝送する（図示せず）。この時、前記各移動通信端末機１０１は、実時間専用端末機と非実時間専用端末機に区分されている。
【００７３】
前記移動通信端末機１０１または基地局１０２からデータを受信（Ｓ３１）した移動通信端末機１０１は、自体で前記データが最終的に伝送されるべき目的端末であるかを判断して（Ｓ３２）、前記データを受信した移動通信端末機１０１が目的端末であると判断される場合、該当のデータ伝送過程は終了する。
【００７４】
一方、前記データを受信した移動通信端末機１０１が目的端末でないと判断された場合、移動通信端末機１０１に格納されている連結テーブルの近傍端末のデータリストに目的端末ＩＤがあるかを探索する（Ｓ３３）。前記連結テーブルを探索して、前記近傍端末のデータリストにおいて、目的端末ＩＤが存在しているかを確認した後（Ｓ３４）、目的端末ＩＤが存在すると、直ちに移動通信端末機１０１から該当の目的端末にデータを伝送する（Ｓ３５）。
【００７５】
前記近傍端末のデータリストにおいて、目的端末ＩＤが存在しないと、移動通信端末機１０１は受信データのＱｏＳクラスを通してデータのトラフィック属性を把握し（Ｓ３６）、受信されたデータが実時間トラフィック属性を有しているかを判断する（Ｓ３７）。
【００７６】
前記受信データのトラフィック属性が実時間トラフィックと判断される場合、移動通信端末機１０１に格納された連結テーブルの近傍端末のデータリストにおいて、実時間専用端末機にデータを伝送する（Ｓ３８）。この時、前記実時間専用端末機は、実時間データ伝送に適合するように大きな送信電力を有しているため、一回の伝送で遠く離れた距離までデータを伝送することができる。
【００７７】
然し、伝送されたデータのトラフィック属性が非実時間トラフィックと判断される場合、移動通信端末機１０１に格納された近傍端末のデータリストにおいて、非実時間専用端末機にデータを伝送する（Ｓ３９）。前記非実時間専用端末機は、比較的遅延に鈍感な非実時間データをいくつかの伝送電力の小さい近傍端末１０１を経て伝送する。
【００７８】
このように受信されたデータの実時間トラフィックまたは非実時間トラフィック属性を把握して、実時間専用端末機または非実時間専用端末機を通してデータを伝送することで、制限的な無線網資源の問題を解決することができる。
【００７９】
【発明の効果】
以上説明したように、本発明に係るＯＤＭＡシステムのデータ伝送方法においては、移動通信端末機間に送受信されるデータのトラフィック属性を把握して、その属性によって伝送電力を調節することで電力使用の効率性を向上し得るという効果がある。
【００８０】
且つ、実時間データ及び非実時間データによって伝送電力を可変し、または専用端末機を通してデータを伝送することで通信効率を増加し得るという効果がある。
【図面の簡単な説明】
【図１】本発明に係るＯＤＭＡシステムを示した図である。
【図２】本発明に係るＯＤＭＡシステムのデータ伝送方法を示したフローチャートである。
【図３】本発明に係るＯＤＭＡシステムのデータ伝送方法の第１実施形態を示したフローチャートである。
【図４】本発明に係るＯＤＭＡシステムのデータ伝送方法の第２実施形態を示したフローチャートである。
【図５】従来移動通信システムを示した図である。
【図１】
2004140773.tif 000005
【図２】
2004140773.tif 000006
【図３】
2004140773.tif 000007
【図４】
2004140773.tif 000008
【図５】
2004140773.tif 000009